(57)【特許請求の範囲】
【請求項１】
外筐体を含み、前記外筐体の下方には支持脚が四本固定され、前記外筐体の中には前圧延空間が設けられ、前記前圧延空間の下方には下ベルト空間が設けられ、前記前圧延空間の左方には左ベルト空間が設けられ、前記前圧延空間の右方には右はすば歯車空間が設けられ、前記前圧延空間の後方には後圧延空間が設けられ、前記後圧延空間の左方には左伝動空間が設けられ、前記左伝動空間の右方には上ラック空間が設けられ、前記後圧延空間の下方には下伝動空間が設けられ、前記後圧延空間の下壁にはモータが固定され、
前記モータの上方には下伝動軸が前記モータと伝動可能に連結され、前記後圧延空間の中には前記下伝動軸に固定された後プーリが設けられ、前記後プーリの前方には前プーリが設けられ、前記前プーリと前記後プーリとは連動ベルトによって連結され、前記前プーリは下プーリ空間に設けられ且つ前伝動軸に固定され、前記前伝動軸は下方へ前記下ベルト空間の下壁に回動可能に設けられ、前記前プーリの上方には前圧延ユニットが設けられ、前記後プーリの上方には第一はすば歯車が設けられ、前記第一はすば歯車は前記下伝動軸に固定され、前記後圧延空間の左壁には左伝動軸が回動可能に設けられ、
前記後圧延空間の中には前記左伝動軸に固定された第二はすば歯車が設けられ、前記第二はすば歯車の右方には左伝動歯車が設けられ、前記左伝動歯車は前記左伝動軸に固定され、前記下伝動軸の左方には左圧延ユニットが設けられ、前記下伝動軸の右方には右圧延ユニットが設けられ、前記左伝動軸の上方には上圧延ユニットが設けられ、前記外筐体の左面外部には回動取手が設けられ、前記回動取手は取手軸に固定され、前記取手軸は前記左伝動空間の左壁に回動可能に設けられ、前記取手軸の右端には第三はすば歯車が固定され、前記第三はすば歯車の右方には伝動ユニットが設けられていることを特徴とする丸鋼圧延装置。
【請求項２】
前記前圧延ユニットは第四はすば歯車を含み、前記第四はすば歯車は前記前プーリの上方に位置し且つ前記前伝動軸に固定され、前記第四はすば歯車の左方には第五はすば歯車が設けられ、前記第五はすば歯車は左回動軸に固定され、前記左回動軸は前記左ベルト空間と前記下ベルト空間との間に回動可能に設けられ、前記第五はすば歯車の上方には前記左ベルト空間に位置する第六はすば歯車が設けられ、前記第六はすば歯車は左連結軸に固定され、前記第六はすば歯車の左方には第七はすば歯車が設けられ、前記第七はすば歯車は前記左連結軸に固定され、前記左連結軸は下方へ前記左ベルト空間の下壁に回動可能に設けられ、前記第七はすば歯車の上方には第八はすば歯車が設けられ、前記第八はすば歯車は上連結軸に固定され、前記上連結軸は左方へ前記左ベルト空間に回動可能に設けられ、前記第八はすば歯車の左方には下伝動プーリが設けられ、前記下伝動プーリは前記上連結軸に固定され、前記下伝動プーリの上方には上伝動プーリが設けられ、前記上伝動プーリと前記下伝動プーリとは左伝動ベルトによって連結され、前記上伝動プーリは上伝動軸に固定され、前記上伝動軸は左右へ前記左ベルト空間の左右壁に回動可能に設けられ、前記前圧延空間の中には前記前圧延ユニットが設けられ、前記前圧延ユニットは前連結ブロックを含み、前記前連結ブロックは前記上伝動軸の右端に固定され、前記前連結ブロックの外面には前圧延ブロックが固定され、前記前圧延ブロックは前記前圧延空間に位置しており、前記左回動軸の上壁にも前記前圧延ユニットが固定され、前記第四はすば歯車の右方には第九はすば歯車が設けられ、前記第九はすば歯車は右回動軸に固定され、前記右回動軸は前記下ベルト空間と前記右はすば歯車空間の間に回動可能に設けられ、前記第九はすば歯車の上方には前記右はすば歯車空間に位置する第十はすば歯車が設けられ、前記第十はすば歯車は前記右回動軸に固定され、前記第十はすば歯車の左方には第十一はすば歯車が設けられ、前記第十一はすば歯車は右連結軸に固定され、前記右連結軸は前記右はすば歯車空間の上下壁に回動可能に設けられ、前記右連結軸の下端には前記前圧延ユニットが固定されていることを特徴とする請求項１に記載の丸鋼圧延装置。
【請求項３】
前記伝動ユニットは第十二はすば歯車を含み、前記第十二はすば歯車は上ベルト軸に固定され、前記上ベルト軸は前後へ前記左伝動空間の前後壁に回動可能に設けられ、前記第十二はすば歯車の前方には上歯車が設けられ、前記上歯車は前記上ベルト軸に固定され、前記上歯車の前方には上連結プーリが設けられ、前記上連結プーリは前記上ベルト軸に固定され、前記上連結プーリの下方には下連結プーリが設けられ、前記下連結プーリと前記上連結プーリとは左連結ベルトによって連結され、前記下連結プーリは下ベルト軸に固定され、前記下ベルト軸は前後へ前記左伝動空間の前後壁に回動可能に設けられ、前記下連結プーリの後方には左回動プーリが設けられ、前記左回動プーリは前記下ベルト軸に固定され、前記左回動プーリの右方には右回動プーリが設けられ、前記左回動プーリと前記右回動プーリとは下連結ベルトによって連結され、前記右回動プーリは左ベルト軸に固定され、前記左ベルト軸は前後へ前記左伝動空間の前後壁に回動可能に設けられ、前記右回動プーリの前方には左接続プーリが設けられ、前記左接続プーリは前記左ベルト軸に固定され、前記右回動プーリの後方には下歯車が設けられ、前記下歯車は前記左ベルト軸に固定され、前記左接続プーリの右方には右接続プーリが設けられ、前記右接続プーリと前記左接続プーリとは左回動ベルトによって連結され、前記右接続プーリは右ベルト軸に固定され、前記右ベルト軸は前後へ前記左伝動空間の前後壁に回動可能に設けられ、前記右接続プーリの後方には左伝動プーリが設けられ、前記左伝動プーリは前記右ベルト軸に固定され、前記左伝動プーリの右方には右伝動プーリが設けられ、前記左伝動プーリと前記右伝動プーリとは右回動ベルトによって連結され、前記右伝動プーリは下連動軸に固定され、前記下連動軸は前後へ前記左伝動空間の前後壁に回動可能に設けられ、前記右伝動プーリの前方には右歯車が設けられ、
前記右圧延ユニットは右ラックを含み、前記右ラックは前記右歯車と噛み合っており、前記右ラックは上方へ右スライダに固定され、前記右スライダの中には右歯車空間が設けられ、前記右歯車空間の上下壁は回動可能な左連動連結軸によって連結され、前記左連動連結軸には前記右歯車空間に位置する第十三はすば歯車が固定され、前記第十三はすば歯車の右方には第十四はすば歯車が設けられ、前記第十四はすば歯車は右連動軸に固定され、前記右連動軸は前記後圧延空間と前記右歯車空間の間に回動可能に設けられ、前記第十四はすば歯車の下方には第十五はすば歯車が設けられ、前記第十五はすば歯車は前記右連動軸に固定され、前記左連動連結軸の左壁には後圧延ユニットが固定され、前記後圧延ユニットは後連結ブロックを含み、前記後連結ブロックは前記左連動連結軸の下端に固定され、前記後連結ブロックの外面には後圧延ブロックが固定され、前記後圧延ブロックは前記後圧延空間に位置しており、前記右スライダの右上において前記外筐体の右内壁には右摺動溝が形成され、前記右スライダは前記右摺動溝に摺動可能に設けられ、
前記左圧延ユニットは前記左伝動空間に位置する下ラックを含み、前記下ラックは前記下歯車と噛み合っており、前記下ラックは右方へ下スライダと固定され、前記下スライダは前記後圧延空間の後壁に摺動可能に設けられ、前記下スライダの中には下回動空間が設けられ、前記下回動空間の下壁には下回動軸が回動可能に設けられ、前記下回動空間の中には前記下回動軸に固定された第十六はすば歯車が設けられ、前記第十六はすば歯車の上方には第十七はすば歯車が設けられ、前記第十七はすば歯車は上回動軸に固定され、前記上回動軸は左方へ前記下スライダの左壁に回動可能に設けられ、前記第十七はすば歯車の左方には前記上回動軸に固定された第十八はすば歯車が設けられ、前記第十六はすば歯車の右方には第十九はすば歯車が設けられ、前記第十九はすば歯車は左連動軸に固定され、前記左連動軸は前記下スライダの内壁に回動可能に設けられ、前記第十九はすば歯車の下方には第二十はすば歯車が設けられ、前記第二十はすば歯車は前記左連動軸に固定され、前記左連動軸には前記後圧延ユニットが固定され、
前記上圧延ユニットは前記上ラック空間に位置する上ラックを含み、前記上ラックは前記上歯車と噛み合っており、前記上ラックは下方へ上スライダに固定され、前記上スライダの中には上摺動空間が設けられ、前記上摺動空間の左右壁は回動可能な上連動軸によって連結され、前記上摺動空間の中には前記上連動軸に固定された第二十一はすば歯車が設けられ、前記第二十一はすば歯車の右方には前記上連動軸の右端に固定された前記後圧延ユニットが設けられ、前記外筐体の左上内壁には上摺動溝が形成され、前記上スライダは前記上摺動溝に摺動可能に設けられ、前記外筐体の中には前記前圧延空間と前記後圧延空間とを貫通する貫通空間が設けられ、前記貫通空間には加工材が設けられていることを特徴とする請求項２に記載の丸鋼圧延装置。
【発明の詳細な説明】
【技術分野】
【０００１】
本願発明は圧延技術分野を取り上げ、特に丸鋼圧延装置に関わる。
【背景技術】
【０００２】
工業の発展につれ、鋼材に対する需要も大きくなり、中で、角鋼と丸鋼は特に供給不足である。そのため、多くの鋼材加工装置が開発され、圧延型・研磨型・切削型等が挙げられる。現段階において、管材に対する圧延装置のほとんどは、直径が限られた管材にしか圧延を行えない。適用範囲が狭いため、サイズの異なる管材に対し、圧延加工を行えない。
【先行技術文献】
【特許文献】
【０００３】
【特許文献１】中国特許出願公開第１００４６７９２９号明細書
【発明の概要】
【発明が解決しようとする課題】
【０００４】
直径が限られた管材にしか圧延を行えないことや、適用範囲が狭いことや、操作が複雑であること、などの問題を解決できる丸鋼圧延装置を、提供することを目的とする。
【課題を解決するための手段】
【０００５】
本願発明は以下の技術的解決案によって実現される。
【０００６】
本願に記載の丸鋼圧延装置は、外筐体を含み、前記外筐体の下方には支持脚が四本固定され、前記外筐体の中には前圧延空間が設けられ、前記前圧延空間の下方には下ベルト空間が設けられ、前記前圧延空間の左方には左ベルト空間が設けられ、前記前圧延空間の右方には右はすば歯車空間が設けられ、前記前圧延空間の後方には後圧延空間が設けられ、前記後圧延空間の左方には左伝動空間が設けられ、前記左伝動空間の右方には上ラック空間が設けられ、前記後圧延空間の下方には下伝動空間が設けられ、前記後圧延空間の下壁にはモータが固定され、
前記モータの上方には下伝動軸が前記モータと伝動可能に連結され、前記後圧延空間の中には前記下伝動軸に固定された後プーリが設けられ、前記後プーリの前方には前プーリが設けられ、前記前プーリと前記後プーリとは連動ベルトによって連結され、前記前プーリは下プーリ空間に設けられ且つ前伝動軸に固定され、前記前伝動軸は下方へ前記下ベルト空間の下壁に回動可能に設けられ、前記前プーリの上方には前圧延ユニットが設けられ、前記後プーリの上方には第一はすば歯車が設けられ、前記第一はすば歯車は前記下伝動軸に固定され、前記後圧延空間の左壁には左伝動軸が回動可能に設けられ、
前記後圧延空間の中には前記左伝動軸に固定された第二はすば歯車が設けられ、前記第二はすば歯車の右方には左伝動歯車が設けられ、前記左伝動歯車は前記左伝動軸に固定され、前記下伝動軸の左方には左圧延ユニットが設けられ、前記下伝動軸の右方には右圧延ユニットが設けられ、前記左伝動軸の上方には上圧延ユニットが設けられ、前記外筐体の左面外部には回動取手が設けられ、前記回動取手は取手軸に固定され、前記取手軸は前記左伝動空間の左壁に回動可能に設けられ、前記取手軸の右端には第三はすば歯車が固定され、前記第三はすば歯車の右方には伝動ユニットが設けられている。
【０００７】
好ましくは、前記前圧延ユニットは第四はすば歯車を含み、前記第四はすば歯車は前記前プーリの上方に位置し且つ前記前伝動軸に固定され、前記第四はすば歯車の左方には第五はすば歯車が設けられ、前記第五はすば歯車は左回動軸に固定され、前記左回動軸は前記左ベルト空間と前記下ベルト空間との間に回動可能に設けられ、前記第五はすば歯車の上方には前記左ベルト空間に位置する第六はすば歯車が設けられ、前記第六はすば歯車は左連結軸に固定され、前記第六はすば歯車の左方には第七はすば歯車が設けられ、前記第七はすば歯車は前記左連結軸に固定され、前記左連結軸は下方へ前記左ベルト空間の下壁に回動可能に設けられ、前記第七はすば歯車の上方には第八はすば歯車が設けられ、前記第八はすば歯車は上連結軸に固定され、前記上連結軸は左方へ前記左ベルト空間に回動可能に設けられ、前記第八はすば歯車の左方には下伝動プーリが設けられ、前記下伝動プーリは前記上連結軸に固定され、前記下伝動プーリの上方には上伝動プーリが設けられ、前記上伝動プーリと前記下伝動プーリとは左伝動ベルトによって連結され、前記上伝動プーリは上伝動軸に固定され、前記上伝動軸は左右へ前記左ベルト空間の左右壁に回動可能に設けられ、前記前圧延空間の中には前記前圧延ユニットが設けられ、前記前圧延ユニットは前連結ブロックを含み、前記前連結ブロックは前記上伝動軸の右端に固定され、前記前連結ブロックの外面には前圧延ブロックが固定され、前記前圧延ブロックは前記前圧延空間に位置しており、前記左回動軸の上壁にも前記前圧延ユニットが固定され、前記第四はすば歯車の右方には第九はすば歯車が設けられ、前記第九はすば歯車は右回動軸に固定され、前記右回動軸は前記下ベルト空間と前記右はすば歯車空間の間に回動可能に設けられ、前記第九はすば歯車の上方には前記右はすば歯車空間に位置する第十はすば歯車が設けられ、前記第十はすば歯車は前記右回動軸に固定され、前記第十はすば歯車の左方には第十一はすば歯車が設けられ、前記第十一はすば歯車は右連結軸に固定され、前記右連結軸は前記右はすば歯車空間の上下壁に回動可能に設けられ、前記右連結軸の下端には前記前圧延ユニットが固定されている。
【０００８】
好ましくは、前記伝動ユニットは第十二はすば歯車を含み、前記第十二はすば歯車は上ベルト軸に固定され、前記上ベルト軸は前後へ前記左伝動空間の前後壁に回動可能に設けられ、前記第十二はすば歯車の前方には上歯車が設けられ、前記上歯車は前記上ベルト軸に固定され、前記上歯車の前方には上連結プーリが設けられ、前記上連結プーリは前記上ベルト軸に固定され、前記上連結プーリの下方には下連結プーリが設けられ、前記下連結プーリと前記上連結プーリとは左連結ベルトによって連結され、前記下連結プーリは下ベルト軸に固定され、前記下ベルト軸は前後へ前記左伝動空間の前後壁に回動可能に設けられ、前記下連結プーリの後方には左回動プーリが設けられ、前記左回動プーリは前記下ベルト軸に固定され、前記左回動プーリの右方には右回動プーリが設けられ、前記左回動プーリと前記右回動プーリとは下連結ベルトによって連結され、前記右回動プーリは左ベルト軸に固定され、前記左ベルト軸は前後へ前記左伝動空間の前後壁に回動可能に設けられ、前記右回動プーリの前方には左接続プーリが設けられ、前記左接続プーリは前記左ベルト軸に固定され、前記右回動プーリの後方には下歯車が設けられ、前記下歯車は前記左ベルト軸に固定され、前記左接続プーリの右方には右接続プーリが設けられ、前記右接続プーリと前記左接続プーリとは左回動ベルトによって連結され、前記右接続プーリは右ベルト軸に固定され、前記右ベルト軸は前後へ前記左伝動空間の前後壁に回動可能に設けられ、前記右接続プーリの後方には左伝動プーリが設けられ、前記左伝動プーリは前記右ベルト軸に固定され、前記左伝動プーリの右方には右伝動プーリが設けられ、前記左伝動プーリと前記右伝動プーリとは右回動ベルトによって連結され、前記右伝動プーリは下連動軸に固定され、前記下連動軸は前後へ前記左伝動空間の前後壁に回動可能に設けられ、前記右伝動プーリの前方には右歯車が設けられている。
【０００９】
好ましくは、前記右圧延ユニットは右ラックを含み、前記右ラックは前記右歯車と噛み合っており、前記右ラックは上方へ右スライダに固定され、前記右スライダの中には右歯車空間が設けられ、前記右歯車空間の上下壁は回動可能な左連動連結軸によって連結され、前記左連動連結軸には前記右歯車空間に位置する第十三はすば歯車が固定され、前記第十三はすば歯車の右方には第十四はすば歯車が設けられ、前記第十四はすば歯車は右連動軸に固定され、前記右連動軸は前記後圧延空間と前記右歯車空間の間に回動可能に設けられ、前記第十四はすば歯車の下方には第十五はすば歯車が設けられ、前記第十五はすば歯車は前記右連動軸に固定され、前記左連動連結軸の左壁には後圧延ユニットが固定され、前記後圧延ユニットは後連結ブロックを含み、前記後連結ブロックは前記左連動連結軸の下端に固定され、前記後連結ブロックの外面には後圧延ブロックが固定され、前記後圧延ブロックは前記後圧延空間に位置しており、前記右スライダの右上において前記外筐体の右内壁には右摺動溝が形成され、前記右スライダは前記右摺動溝に摺動可能に設けられている。
【００１０】
好ましくは、前記左圧延ユニットは前記左伝動空間に位置する下ラックを含み、前記下ラックは前記下歯車と噛み合っており、前記下ラックは右方へ下スライダと固定され、前記下スライダは前記後圧延空間の後壁に摺動可能に設けられ、前記下スライダの中には下回動空間が設けられ、前記下回動空間の下壁には下回動軸が回動可能に設けられ、前記下回動空間の中には前記下回動軸に固定された第十六はすば歯車が設けられ、前記第十六はすば歯車の上方には第十七はすば歯車が設けられ、前記第十七はすば歯車は上回動軸に固定され、前記上回動軸は左方へ前記下スライダの左壁に回動可能に設けられ、前記第十七はすば歯車の左方には前記上回動軸に固定された第十八はすば歯車が設けられ、前記第十六はすば歯車の右方には第十九はすば歯車が設けられ、前記第十九はすば歯車は左連動軸に固定され、前記左連動軸は前記下スライダの内壁に回動可能に設けられ、前記第十九はすば歯車の下方には第二十はすば歯車が設けられ、前記第二十はすば歯車は前記左連動軸に固定され、前記左連動軸には前記後圧延ユニットが固定されている。
【００１１】
好ましくは、前記上圧延ユニットは前記上ラック空間に位置する上ラックを含み、前記上ラックは前記上歯車と噛み合っており、前記上ラックは下方へ上スライダに固定され、前記上スライダの中には上摺動空間が設けられ、前記上摺動空間の左右壁は回動可能な上連動軸によって連結され、前記上摺動空間の中には前記上連動軸に固定された第二十一はすば歯車が設けられ、前記第二十一はすば歯車の右方には前記上連動軸の右端に固定された前記後圧延ユニットが設けられ、前記外筐体の左上内壁には上摺動溝が形成され、前記上スライダは前記上摺動溝に摺動可能に設けられ、前記外筐体の中には前記前圧延空間と前記後圧延空間とを貫通する貫通空間が設けられ、前記貫通空間には加工材が設けられている。
【発明の効果】
【００１２】
本願発明は以下のプラス効果を有する：本願発明はコストが低く、装置一台で異なるサイズの丸鋼を加工でき、且つ自動化レベルが高く、特に小型工場に適する。
【図面の簡単な説明】
【００１３】
下記に図１〜５を合わせて本願発明について詳しく説明し、便利に説明するために、本願に記載の各方向を以下のように規定する：図１は本願発明の正面図であり、本願に記載の各方向は、図１における観察方向に基づくものである。
【００１４】
【図１】図１は本願発明の構成略図
【図２】図２は図１におけるＡ―Ａの略図
【図３】図３は図２におけるＢ―Ｂの略図
【図４】図４は図３におけるＣ―Ｃの略図
【図５】図５は図３におけるＤ部の拡大構成略図
【発明を実施するための形態】
【００１５】
本願に記載の丸鋼圧延装置は、外筐体９６を含み、前記外筐体９６の下方には支持脚７９が四本固定され、前記外筐体９６の中には前圧延空間６５が設けられ、前記前圧延空間６５の下方には下ベルト空間７８が設けられ、前記前圧延空間６５の左方には左ベルト空間６１が設けられ、前記前圧延空間６５の右方には右はすば歯車空間６９が設けられ、前記前圧延空間６５の後方には後圧延空間９が設けられ、前記後圧延空間９の左方には左伝動空間５７が設けられ、前記左伝動空間５７の右方には上ラック空間４が設けられ、前記後圧延空間９の下方には下伝動空間２７が設けられ、前記後圧延空間９の下壁にはモータ３３が固定され、前記モータ３３の上方には下伝動軸２８が前記モータ３３と伝動可能に連結され、前記後圧延空間９の中には前記下伝動軸２８に固定された後プーリ３４が設けられ、前記後プーリ３４の前方には前プーリ７６が設けられ、前記前プーリ７６と前記後プーリ３４とは連動ベルト９９によって連結され、前記前プーリ７６は下プーリ空間７８に設けられ且つ前伝動軸７５に固定され、前記前伝動軸７５は下方へ前記下ベルト空間７８の下壁に回動可能に設けられ、前記前プーリ７６の上方には前圧延ユニットが設けられ、前記後プーリ３４の上方には第一はすば歯車３５が設けられ、前記第一はすば歯車３５は前記下伝動軸２８に固定され、前記後圧延空間９の左壁には左伝動軸５２が回動可能に設けられ、前記後圧延空間９の中には前記左伝動軸５２に固定された第二はすば歯車５１が設けられ、前記第二はすば歯車５１の右方には左伝動歯車５３が設けられ、前記左伝動歯車５３は前記左伝動軸５２に固定され、前記下伝動軸２８の左方には左圧延ユニットが設けられ、前記下伝動軸２８の右方には右圧延ユニットが設けられ、前記左伝動軸５２の上方には上圧延ユニットが設けられ、前記外筐体９６の左面外部には回動取手５４が設けられ、前記回動取手５４は取手軸５５に固定され、前記取手軸５５は前記左伝動空間５７の左壁に回動可能に設けられ、前記取手軸５５の右端には第三はすば歯車５６が固定され、前記第三はすば歯車５６の右方には伝動ユニットが設けられている。
【００１６】
有利なことに、前記前圧延ユニットは第四はすば歯車７４を含み、前記第四はすば歯車７４は前記前プーリ７６の上方に位置し且つ前記前伝動軸７５に固定され、前記第四はすば歯車７４の左方には第五はすば歯車７７が設けられ、前記第五はすば歯車７７は左回動軸８０に固定され、前記左回動軸８０は前記左ベルト空間６１と前記下ベルト空間７８との間に回動可能に設けられ、前記第五はすば歯車７７の上方には前記左ベルト空間６１に位置する第六はすば歯車８１が設けられ、前記第六はすば歯車８１は左連結軸８２に固定され、前記第六はすば歯車８１の左方には第七はすば歯車８３が設けられ、前記第七はすば歯車８３は前記左連結軸８２に固定され、前記左連結軸８２は下方へ前記左ベルト空間６の下壁に回動可能に設けられ、前記第七はすば歯車８３の上方には第八はすば歯車８４が設けられ、前記第八はすば歯車８４は上連結軸８５に固定され、前記上連結軸８５は左方へ前記左ベルト空間６１に回動可能に設けられ、前記第八はすば歯車８４の左方には下伝動プーリ８６が設けられ、前記下伝動プーリ８６は前記上連結軸８５に固定され、前記下伝動プーリ８６の上方には上伝動プーリ６０が設けられ、前記上伝動プーリ６０と前記下伝動プーリ８６とは左伝動ベルト５９によって連結され、前記上伝動プーリ６０は上伝動軸６２に固定され、前記上伝動軸６２は左右へ前記左ベルト空間６１の左右壁に回動可能に設けられ、前記前圧延空間６５の中には前記前圧延ユニットが設けられ、前記前圧延ユニットは前連結ブロック６４を含み、前記前連結ブロック６４は前記上伝動軸６２の右端に固定され、前記前連結ブロック６４の外面には前圧延ブロック６３が固定され、前記前圧延ブロック６３は前記前圧延空間６５に位置しており、前記左回動軸８０の上壁にも前記前圧延ユニットが固定され、前記第四はすば歯車７４の右方には第九はすば歯車７３が設けられ、前記第九はすば歯車７３は右回動軸７２に固定され、前記右回動軸７２は前記下ベルト空間７８と前記右はすば歯車空間６９の間に回動可能に設けられ、前記第九はすば歯車７３の上方には前記右はすば歯車空間６９に位置する第十はすば歯車６８が設けられ、前記第十はすば歯車６８は前記右回動軸７２に固定され、前記第十はすば歯車６８の左方には第十一はすば歯車６７が設けられ、前記第十一はすば歯車６７は右連結軸６６に固定され、前記右連結軸６６は前記右はすば歯車空間６９の上下壁に回動可能に設けられ、前記右連結軸６６の下端には前記前圧延ユニットが固定されている。
【００１７】
有利なことに、前記伝動ユニットは第十二はすば歯車１を含み、前記第十二はすば歯車１は上ベルト軸５８に固定され、前記上ベルト軸５８は前後へ前記左伝動空間５７の前後壁に回動可能に設けられ、前記第十二はすば歯車１の前方には上歯車２が設けられ、前記上歯車２は前記上ベルト軸５８に固定され、前記上歯車２の前方には上連結プーリ９０が設けられ、前記上連結プーリ９０は前記上ベルト軸５８に固定され、前記上連結プーリ９０の下方には下連結プーリ４５が設けられ、前記下連結プーリ４５と前記上連結プーリ９０とは左連結ベルト４７によって連結され、前記下連結プーリ４５は下ベルト軸４６に固定され、前記下ベルト軸４６は前後へ前記左伝動空間５７の前後壁に回動可能に設けられ、前記下連結プーリ４５の後方には左回動プーリ４４が設けられ、前記左回動プーリ４４は前記下ベルト軸４６に固定され、前記左回動プーリ４４の右方には右回動プーリ３９が設けられ、前記左回動プーリ４４と前記右回動プーリ３９とは下連結ベルト４２によって連結され、前記右回動プーリ３９は左ベルト軸４１に固定され、前記左ベルト軸４１は前後へ前記左伝動空間５７の前後壁に回動可能に設けられ、前記右回動プーリ３９の前方には左接続プーリ４０が設けられ、前記左接続プーリ４０は前記左ベルト軸４１に固定され、前記右回動プーリ３９の後方には下歯車３８が設けられ、前記下歯車３８は前記左ベルト軸４１に固定され、前記左接続プーリ４０の右方には右接続プーリ３０が設けられ、前記右接続プーリ３０と前記左接続プーリ４０とは左回動ベルト３２によって連結され、前記右接続プーリ３０は右ベルト軸３１に固定され、前記右ベルト軸３１は前後へ前記左伝動空間５７の前後壁に回動可能に設けられ、前記右接続プーリ３０の後方には左伝動プーリ２９が設けられ、前記左伝動プーリ２９は前記右ベルト軸３１に固定され、前記左伝動プーリ２９の右方には右伝動プーリ２５が設けられ、前記左伝動プーリ２９と前記右伝動プーリ２５とは右回動ベルト２６によって連結され、前記右伝動プーリ２５は下連動軸２４に固定され、前記下連動軸２４は前後へ前記左伝動空間５７の前後壁に回動可能に設けられ、前記右伝動プーリ２５の前方には右歯車２３が設けられている。
【００１８】
有利なことに、前記右圧延ユニットは右ラック２２を含み、前記右ラック２２は前記右歯車２３と噛み合っており、前記右ラック２２は上方へ右スライダ１１に固定され、前記右スライダ１１の中には右歯車空間１８が設けられ、前記右歯車空間１８の上下壁は回動可能な左連動連結軸１３によって連結され、前記左連動連結軸１３には前記右歯車空間１８に位置する第十三はすば歯車１４が固定され、前記第十三はすば歯車１４の右方には第十四はすば歯車１７が設けられ、前記第十四はすば歯車１７は右連動軸１９に固定され、前記右連動軸１９は前記後圧延空間９と前記右歯車空間１８の間に回動可能に設けられ、前記第十四はすば歯車１７の下方には第十五はすば歯車２０が設けられ、前記第十五はすば歯車２０は前記右連動軸１９に固定され、前記左連動連結軸１３の左壁には後圧延ユニットが固定され、前記後圧延ユニットは後連結ブロック１５を含み、前記後連結ブロック１５は前記左連動連結軸１３の下端に固定され、前記後連結ブロック１５の外面には後圧延ブロック１６が固定され、前記後圧延ブロック１６は前記後圧延空間９に位置しており、前記右スライダ１１の右上において前記外筐体９６の右内壁には右摺動溝１０が形成され、前記右スライダ１１は前記右摺動溝１０に摺動可能に設けられている。
【００１９】
有利なことに、前記左圧延ユニットは前記左伝動空間５７に位置する下ラック３７を含み、前記下ラック３７は前記下歯車３８と噛み合っており、前記下ラック３７は右方へ下スライダ４８と固定され、前記下スライダ４８は前記後圧延空間９の後壁に摺動可能に設けられ、前記下スライダ４８の中には下回動空間１０６が設けられ、前記下回動空間１０６の下壁には下回動軸１０２が回動可能に設けられ、前記下回動空間１０６の中には前記下回動軸１０２に固定された第十六はすば歯車１０３が設けられ、前記第十六はすば歯車１０３の上方には第十七はすば歯車１０４が設けられ、前記第十七はすば歯車１０４は上回動軸１０５に固定され、前記上回動軸１０５は左方へ前記下スライダ４８の左壁に回動可能に設けられ、前記第十七はすば歯車１０４の左方には前記上回動軸１０５に固定された第十八はすば歯車１０１が設けられ、前記第十六はすば歯車１０３の右方には第十九はすば歯車１０７が設けられ、前記第十九はすば歯車１０７は左連動軸１０８に固定され、前記左連動軸１０８は前記下スライダ４８の内壁に回動可能に設けられ、前記第十九はすば歯車１０７の下方には第二十はすば歯車１０９が設けられ、前記第二十はすば歯車１０９は前記左連動軸１０８に固定され、前記左連動軸１０８には前記後圧延ユニットが固定されている。
【００２０】
有利なことに、前記上圧延ユニットは前記上ラック空間４に位置する上ラック３を含み、前記上ラック３は前記上歯車２と噛み合っており、前記上ラック３は下方へ上スライダ５に固定され、前記上スライダ５の中には上摺動空間７が設けられ、前記上摺動空間７の左右壁は回動可能な上連動軸８によって連結され、前記上摺動空間７の中には前記上連動軸８に固定された第二十一はすば歯車６が設けられ、前記第二十一はすば歯車６の右方には前記上連動軸８の右端に固定された前記後圧延ユニットが設けられ、前記外筐体９６の左上内壁には上摺動溝１１０が形成され、前記上スライダ５は前記上摺動溝１１０に摺動可能に設けられ、前記外筐体９６の中には前記前圧延空間６５と前記後圧延空間９とを貫通する貫通空間１１１が設けられ、前記貫通空間１１１には加工材８９が設けられている。
【００２１】
はじめに、左伝動歯車５３と第二十一歯車６とが離脱しており、第一はすば歯車３５と第十五はすば歯車２０とが離脱しており、第十八はすば歯車１０１と第二はすば歯車５１とが離脱しており、第一はすば歯車３５と第二十はすば歯車１０９とが離脱している。
【００２２】
作業に当たって、
１、加工材８９を貫通空間１１１に置き、モータ３３を作動させ、下伝動軸２８は駆動されて回転し、後プーリ３４をつれて回転させ、連動ベルト９９によって前プーリ７６は後プーリ３４につれて回転し、前伝動軸７５は前プーリ７６につれて回転し、第四はすば歯車７４を回転させ、続いて第五はすば歯車７７は連動して回転し、左回動軸８０を回転させることで、前圧延ユニットを回転させる。
２、左回動軸８０が回転して前圧延ユニットを回転させると同時に、第六はすば歯車８１も回転し、第七はすば歯車８３をつれて回転させることで、第八はすば歯車８４を回転させ、続いて上連結軸８５は連動して回転し、下伝動プーリ８６を回転させ、左伝動ベルト５９によって上伝動プーリ６０は下伝動プーリ８６につれて回転し、上伝動軸６２を回転させることで、前圧延ユニットを回転させる。
３、第四はすば歯車７４が回転して第五はすば歯車７７を回転させると同時に、第九はすば歯車７３も回転し、右回動軸７２を回転させることで、第十はすば歯車６８を回転させ、続いて第十一はすば歯車６７は連動して回転し、右連結軸６６を回転させることで、前圧延ユニットを回転させ、前圧延ユニットの回転により、貫通空間１１１から前圧延空間６５に押されてきた加工材８９を、所要の直径になるように圧延する。
４、より短い直径が所望であれば、手で回動取手５４を回し、取手軸５５は連動して回転し、第三はすば歯車５６を回転させることで、第十二はすば歯車１を回転させ、続いて上ベルト軸５８は連動して回転し、上連結プーリ９０を回転させ、左連結ベルト４７によって下連結プーリ４５は上連結プーリ９０につれて回転し、下ベルト軸４６を回転させることで、左回動プーリ４４を回転させ、下連結ベルト４２によって右回動プーリ３９は左回動プーリ４４につれて回転し、左ベルト軸４１を回転させることで、左接続プーリ４０を回転させ、左回動ベルト３２によって右接続プーリ３０は左接続プーリ４０につれて回転し、右ベルト軸３１を回転させることで、左伝動プーリ２９を回転させ、右回動ベルト２６によって右伝動プーリ２５は左伝動プーリ２９につれて回転し、下連動軸２４を回転させることで、右歯車２３を回転させ、続いて右ラック２２は連動して上昇し、右スライダ１１をつれて右摺動溝１０の中で左上方へ移動させ、続いて第一はすば歯車３５と第十五はすば歯車２０とが噛み合ったら、第十五はすば歯車２０は第一はすば歯車３５の回転につれて回転し、右連動軸１９を回転させることで、第十四はすば歯車１７を回転させ、続いて第十三はすば歯車１４は連動して回転し、左連動連結軸１３を回転させることで、後圧延ユニットを回転させる。
５、左ベルト軸４１が回転して左接続プーリ４０を回転させると同時に、下歯車３８も回転し、下ラック３７をつれて右上へ移動させ、続いて下スライダ４８は連動して右上へ移動し、第十八はすば歯車１０１が第二はすば歯車５１と噛み合い且つ第一はすば歯車３５が第二十はすば歯車１０９と噛み合ったら、第一はすば歯車３５の回転により、第二十はすば歯車１０９は回転し、左連動軸１０８を回転させることで、後圧延ユニットを回転させ、左連動軸１０８が回転して圧延ユニットを回転させると同時に、第十九はすば歯車１０７も回転し、第十六はすば歯車１０３を回転させることで、第十七はすば歯車１０４を回転させ、続いて上回動軸１０５は連動して回転し、第十八はすば歯車１０１を回転させ、第十八はすば歯車１０１は噛み合いによって第二はすば歯車５１を回転させ、続いて左伝動軸５２は連動して回転し、左伝動歯車５３を回転させる。
６、上ベルト軸５８が回転して上連結プーリ９０を回転させると同時に、上歯車２も回転し、上ラック３を降下させることで、上スライダ５は連動して上摺動溝１１０の中で降下し、左伝動歯車５３と第二十一はすば歯車６とが噛み合ったら、左伝動歯車５３の回転により、第二十一はすば歯車６は回転し、上連動軸８を回転させることで、後圧延ユニットを回転させ、後圧延ユニットの回転により、前圧延ユニットが圧延した加工材８９をさらに圧延して直径をより短くし、続いて加工ごの加工材８９は後圧延ユニットの回転により貫通空間１１１の後方へ送出され、加工完了ご、モータ３３を止め、手で回動取手５４を逆回すことで、本願発明を復位させる。
【００２３】
以上の方式により、当該分野の技術者は本願発明の範囲内で作業状況に応じて様々な改変を加えることができる。
【要約】
【課題】本願は丸鋼圧延装置を開示した。
【解決手段】
本願に記載の丸鋼圧延装置は、外筐体を含み、前記外筐体の下方には支持脚が四本固定され、前記外筐体の中には前圧延空間が設けられ、前記前圧延空間の下方には下ベルト空間が設けられ、前記前圧延空間の左方には左ベルト空間が設けられ、前記前圧延空間の右方には右はすば歯車空間が設けられ、前記前圧延空間の後方には後圧延空間が設けられ、前記後圧延空間の左方には左伝動空間が設けられ、前記左伝動空間の右方には上ラック空間が設けられ、本願発明はコストが低く、装置一台で異なるサイズの丸鋼を加工でき、且つ自動化レベルが高く、特に小型工場に適する。
【選択図】図１【図１】
0006826706.tif 000002
【図２】
0006826706.tif 000003
【図３】
0006826706.tif 000004
【図４】
0006826706.tif 000005
【図５】
0006826706.tif 000006